(57)【要約】【課題】他の機能に影響を及ぼすのを抑制しつつ表示機能用の信号線と他の機能用の信号線とを兼用して、信号線の本数を削減する。【解決手段】ＦＦＣ６６の信号線６６ｂ，６６ｃ，６６ｅが、ＬＣＤコントローラー６１からＶＲＡＭ７２への表示データＤＡＴ０〜２の送信と、ボタン群２８に接続されるＰ／Ｓ変換回路７４およびＬＥＤ群２９に接続されるＳ／Ｐ変換回路７６とＳＰ通信コントローラー６２との通信とに兼用される。そして、ＬＣＤコントローラー６１は、１画面分の表示データを送信する際に、表示データを複数に分割して送信すると共に分割した表示データの送信の合間にＳＰ通信コントローラー６２がＰ／Ｓ変換回路７４およびＳ／Ｐ変換回路７６と通信するから、Ｐ／Ｓ変換回路７４およびＳ／Ｐ変換回路７６との定期的な通信に影響を及ぼすのを抑制しつつ信号線の本数を削減することができる。【選択図】図４
2013084062.tif 000002
【特許請求の範囲】
【請求項１】
１画面分の表示データを記憶可能なメモリーを有し該メモリーに記憶された表示データに基づいて画面を表示する表示機能部と、前記表示機能部とは異なり定期的な通信が必要な他の機能部とを備える表示パネルと、
該表示パネルに複数の信号線で接続され、前記信号線を介して前記表示機能部のメモリーに前記表示データを送信したり、前記信号線を介して前記他の機能部と通信したりする制御手段と、
を備え、
前記複数の信号線のうち少なくとも一部が、前記表示機能部のメモリーへの前記表示データの送信と、前記他の機能部との通信とに兼用され、
前記制御手段は、前記１画面分の表示データを送信する際に、前記表示データを複数に分割して送信すると共に該分割した表示データの送信の合間に前記他の機能部と通信する
ことを特徴とする情報処理装置。
【請求項２】
前記表示パネルは、前記他の機能部として、ユーザーからの指示の入力を受け付けて該受け付けた指示の情報を前記制御手段に送信する入力機能部を備える請求項１記載の情報処理装置。
【請求項３】
請求項２記載の情報処理装置であって、
前記表示パネルは、前記他の機能部として、前記制御手段からの出力指示の情報を入力してユーザーが認識可能な態様で出力する出力機能部をさらに備え、
前記入力機能部は、クロック信号が送信されるクロック信号線と、該クロック信号に従って前記受け付けた指示の情報が送信される情報信号線と、ラッチ用のタイミング信号が送信されるタイミング信号線とを介して前記制御手段に接続され、
前記出力機能部は、クロック信号が送信されるクロック信号線と、該クロック信号に従って前記出力指示の情報が送信される情報信号線と、ラッチ用のタイミング信号が送信されるタイミング信号線とを介して前記制御手段に接続され、
前記タイミング信号線を除いた各信号線の少なくとも一部が、前記表示機能部のメモリーへの前記表示データの送信に兼用されてなる
情報処理装置。
【請求項４】
請求項３記載の情報処理装置であって、
前記入力機能部と前記出力機能部とは、前記クロック信号線が兼用されると共に前記タイミング信号線が兼用され、
前記制御手段は、前記表示機能部のメモリーへの前記表示データの送信から前記入力機能部および前記出力機能部との通信に切り替わった場合には、前記クロック信号を送信しながら前記出力機能部に前記出力指示の情報を送信し、該出力指示の情報の送信終了に伴って前記タイミング信号を送信し、該タイミング信号の送信後に前記クロック信号を送信しながら前記入力機能部から前記受け付けた指示の情報を入力する手段である
情報処理装置。
【請求項５】
前記制御手段は、前記表示データを分割する際に画素のラインを区切りとして分割し、該分割の単位となるライン数を変更可能な手段である請求項１ないし４いずれか１項に記載の情報処理装置。
【請求項６】
請求項５記載の情報処理装置であって、
前記表示機能部に表示される画面として、画面が切り替わってから該画面に対応して前記他の機能部の機能が働く第１の画面と、画面が切り替え中であっても前記他の機能部の機能が働く第２の画面とを有し、
前記制御手段は、前記表示機能部に表示される画面が切り替え中のときには、切り替え後の画面が前記第１の画面の場合に前記第２の画面の場合に比して、前記分割の単位となるライン数が大きくなるよう変更する手段である
情報処理装置。
【請求項７】
前記制御手段は、前記表示機能部に表示される画面が切り替え中ではないときには、切り替え中に比して、前記分割の単位であるライン数が小さくなるよう変更する手段である請求項５または６記載の情報処理装置。
【請求項８】
請求項１ないし７いずれか１項に記載の情報処理装置と、
筐体内に収容される印刷機構と、
を備え、
前記表示パネルは、前記筐体に対して可動するよう該筐体に取り付けられ、
前記制御手段は、前記筐体内に収容され、画像データに基づく画像が印刷されるよう前記印刷機構を制御する手段であり、
前記複数の信号線は、前記筐体と前記表示パネルとに亘って配設されてなる
印刷装置。
【発明の詳細な説明】
【技術分野】
【０００１】
本発明は、情報処理装置および印刷装置に関する。
【背景技術】
【０００２】
従来、この種の情報処理装置としては、画像を表示する液晶モジュールと、液晶モジュールと一体的に設けられタッチ操作に応じた電圧を発生するタッチスクリーンと、発生した電圧をデジタル信号に変換するタッチスクリーンコントローラーと、そのデジタル信号に基づいてタッチ操作の位置を検出するＩ／Ｏコントローラーと、表示データを液晶モジュールに転送したりＩ／Ｏコントローラーの検出結果に基づいて液晶モジュールを制御したりする液晶コントローラーとを備えるものが提案されている（例えば、特許文献１参照）。この装置では、液晶モジュールが新たな表示動作を行なう動作モードと休止する休止モードとを有する。そして、動作モードの場合にクロック信号を液晶モジュールに送信し休止モードの場合にクロック信号をタッチスクリーンコントローラーに送信するための信号線と、動作モードの場合に表示データを液晶モジュールに送信し休止モードの場合にＩ／Ｏコントローラーがデジタル信号を受信するための信号線とを備え、モードの切り替わりに応じて各信号線の接続先を切り替えることで、信号線を兼用してその本数を削減している。
【先行技術文献】
【特許文献】
【０００３】
【特許文献１】特開２０１０−４９２０６号公報
【発明の概要】
【発明が解決しようとする課題】
【０００４】
しかしながら、上述した装置では、信号線を兼用するために動作モードと休止モードとの切り替わりを必要とするから、動作モード中にタッチスクリーンがタッチ操作されたときには、信号線を兼用しないものに比して、タッチ操作の対応に時間を要することがある。このように、信号線の兼用により、画像表示以外の他の機能に影響を及ぼす場合が生じてしまう。
【０００５】
本発明の情報処理装置および印刷装置は、他の機能に影響を及ぼすのを抑制しつつ表示機能用の信号線と他の機能用の信号線とを兼用して、信号線の本数を削減することを主目的とする。
【課題を解決するための手段】
【０００６】
本発明の情報処理装置および印刷装置は、上述の主目的を達成するために以下の手段を採った。
【０００７】
本発明の情報処理装置は、
１画面分の表示データを記憶可能なメモリーを有し該メモリーに記憶された表示データに基づいて画面を表示する表示機能部と、前記表示機能部とは異なり定期的な通信が必要な他の機能部とを備える表示パネルと、
該表示パネルに複数の信号線で接続され、前記信号線を介して前記表示機能部のメモリーに前記表示データを送信したり、前記信号線を介して前記他の機能部と通信したりする制御手段と、
を備え、
前記複数の信号線のうち少なくとも一部が、前記表示機能部のメモリーへの前記表示データの送信と、前記他の機能部との通信とに兼用され、
前記制御手段は、前記１画面分の表示データを送信する際に、前記表示データを複数に分割して送信すると共に該分割した表示データの送信の合間に前記他の機能部と通信する
ことを要旨とする。
【０００８】
この本発明の情報処理装置では、表示パネルと制御手段とを接続する複数の信号線のうち少なくとも一部が、表示機能部のメモリーへの表示データの送信と、他の機能部との通信とに兼用されており、１画面分の表示データを送信する際に、表示データを複数に分割して送信すると共に分割した表示データの送信の合間に他の機能部と通信する。これにより、信号線を兼用するものとしても、他の機能部の定期的な通信が妨げられるのを抑制することができる。この結果、他の機能に影響を及ぼすのを抑制しつつ表示機能用の信号線と他の機能用の信号線とを兼用して、信号線の本数を削減することができる。
【０００９】
こうした本発明の情報処理装置において、前記表示パネルは、前記他の機能部として、ユーザーからの指示の入力を受け付けて該受け付けた指示の情報を前記制御手段に送信する入力機能部を備えるものとすることもできる。こうすれば、ユーザーの指示に対する応答性が低下するのを抑制しつつ信号線の本数を削減することができる。
【００１０】
この態様の本発明の情報処理装置において、前記表示パネルは、前記他の機能部として、前記制御手段からの出力指示の情報を入力してユーザーが認識可能な態様で出力する出力機能部をさらに備え、前記入力機能部は、クロック信号が送信されるクロック信号線と、該クロック信号に従って前記受け付けた指示の情報が送信される情報信号線と、ラッチ用のタイミング信号が送信されるタイミング信号線とを介して前記制御手段に接続され、前記出力機能部は、クロック信号が送信されるクロック信号線と、該クロック信号に従って前記出力指示の情報が送信される情報信号線と、ラッチ用のタイミング信号が送信されるタイミング信号線とを介して前記制御手段に接続され、前記タイミング信号線を除いた各信号線の少なくとも一部が、前記表示機能部のメモリーへの前記表示データの送信に兼用されてなるものとすることもできる。こうすれば、表示データの送信によりタイミング信号線に信号が送信されて、入力機能部や出力機能部が本来とは異なるタイミングでデータをラッチするのを防止することができる。また、この態様の本発明の情報処理装置において、前記入力機能部と前記出力機能部とは、前記クロック信号線が兼用されると共に前記タイミング信号線が兼用され、前記制御手段は、前記表示機能部のメモリーへの前記表示データの送信から前記入力機能部および前記出力機能部との通信に切り替わった場合には、前記クロック信号を送信しながら前記出力機能部に前記出力指示の情報を送信し、該出力指示の情報の送信終了に伴って前記タイミング信号を送信し、該タイミング信号の送信後に前記クロック信号を送信しながら前記入力機能部から前記受け付けた指示の情報を入力する手段であるものとすることもできる。ここで、表示機能部のメモリーへの表示データの送信から入力機能部および出力機能部との通信に切り替わった場合に、ラッチ用のタイミング信号を送信すると出力機能部に不要な信号が入力されるおそれがある。本発明では、ラッチ用のタイミング信号の送信前に出力機能部に出力指示の情報を送信すると共にラッチ用のタイミング信号の送信後に入力機能部から指示の情報を入力するから、そのようなおそれを防止することができる。
【００１１】
また、本発明の情報処理装置において、前記制御手段は、前記表示データを分割する際に画素のラインを区切りとして分割し、該分割の単位となるライン数を変更可能な手段であるものとすることもできる。こうすれば、他の機能部が必要とする定期的な通信の頻度に応じて、表示データを容易に分割することができる。
【００１２】
この態様の本発明の情報処理装置において、前記表示機能部に表示される画面として、画面が切り替わってから該画面に対応して前記他の機能部の機能が働く第１の画面と、画面が切り替え中であっても前記他の機能部の機能が働く第２の画面とを有し、前記制御手段は、前記表示機能部に表示される画面が切り替え中のときには、切り替え後の画面が前記第１の画面の場合に前記第２の画面の場合に比して、前記分割の単位となるライン数が大きくなるよう変更する手段であるものとすることもできる。こうすれば、他の機能部との通信の必要性が高くないときには、表示データの送信を優先させて、表示データを効率よく送信することができる。また、これらの態様の本発明の情報処理装置において、前記制御手段は、前記表示機能部に表示される画面が切り替え中ではないときには、切り替え中に比して、前記分割の単位であるライン数が小さくなるよう変更する手段であるものとすることもできる。これにより、画面が切り替え中でなく表示データの送信の優先度が低い場合には、他の機能部との通信を優先させることができる。ここで、画面の切り替えとは、切り替え前後で異なる画面に変化することをいう。
【００１３】
本発明の印刷装置は、上述したいずれかの態様の本発明の情報処理装置と、筐体内に収容される印刷機構と、を備え、前記表示パネルは、前記筐体に対して可動するよう該筐体に取り付けられ、前記制御手段は、前記筐体内に収容され、画像データに基づく画像が印刷されるよう前記印刷機構を制御する手段であり、前記複数の信号線は、前記筐体と前記表示パネルとに亘って配設されてなるものとすることできる。また、可動する表示パネルと筐体とに亘って複数の信号線が配設される印刷装置においては、信号線の取り回しやその配設スペースに制約が多くなることから、本発明を適用する意義が高い。
【図面の簡単な説明】
【００１４】
【図１】プリンター２０の外観を示す外観斜視図。
【図２】プリンター２０の操作パネル２６のチルトの様子を示す説明図。
【図３】プリンター２０の構成の概略を示す構成図。
【図４】メインコントローラー５０と操作パネル２６との接続の詳細図。
【図５】Ｇｎｔ解放設定処理ルーチンの一例を示すフローチャート。
【図６】Ｇｎｔ解放の様子を示す説明図。
【図７】通信時のタイミングチャートの一例を示す説明図。
【図８】ｘＬＤ信号の出力タイミングを説明する説明図。
【発明を実施するための形態】
【００１５】
次に、本発明の実施の形態を図面に基づいて説明する。図１は、本発明の一実施形態であるプリンター２０の外観を示す外観斜視図であり、図２は、プリンター２０の操作パネル２６のチルトの様子を示す説明図であり、図３は、プリンター２０の構成の概略を示す構成図である。
【００１６】
本実施形態のプリンター２０は、図１に示すように、印刷機構４０（図３参照）やメインコントローラー５０（図３参照）が内蔵された本体２１と、本体２１の前面に取り付けられた操作パネル２６とを備え、Ｌ判サイズやハガキサイズなどの用紙に写真などの印刷を行なうフォトプリンターとして構成されている。本体２１は、上面に設けられた取っ手２２と、背面にセットされた用紙を自動給紙するオートシートフィーダー２３と、印刷機構４０により印刷された用紙を受ける排紙トレイ２４と、前面に設けられた赤外線通信ポート２５（受光部）とを備える。このプリンター２０では、赤外線通信ポート２５に発光部３０ａを向けてリモートコントロール装置３０を操作することにより、プリンター２０を遠隔操作できるようになっている。リモートコントロール装置３０は、電源をオンオフする電源ボタン３１と、印刷動作を中止したり印刷枚数や写真選択を解除するストップ／設定クリアボタン３２と、印刷モードやスライドショーモードなどの各種モードを選択可能なトップ画面を表示するトップ画面ボタン３３と、印刷枚数を設定する印刷枚数設定ボタン３４と、項目や設定値を選択する上下左右ボタン３５と、項目を決定したり次の画面に進むＯＫボタン３６と、一つ前の画面に戻る戻るボタン３７と、印刷を開始する印刷ボタン３８と、各種項目を設定可能な設定画面を表示する設定ボタン３９などを備える。
【００１７】
操作パネル２６は、トップ画面や設定画面などの各種画面や写真画像を表示する機能を有する液晶ディスプレイ（ＬＣＤ）２７と、プリンター２０を操作するための複数のボタンが設けられてユーザーの指示を入力する機能を有するボタン群２８と、複数のＬＥＤランプが設けられてプリンター２０の状態をユーザーに報知する機能を有するＬＥＤランプ群２９とを備える。この操作パネル２６は、本体２１に対して上下方向にスライドするスライド機構とチルトする（図２参照）チルト機構とを備えており、可動範囲内で上下位置と角度とを調整できるようになっている。また、ＬＣＤ２７は、本実施形態では、３２０ドット×２４０ドットの画素により構成されており、３２０ドット分の画素データにより１ラインが形成され、２４０ライン分のラインデータにより１フレーム（１画像）が形成される。そして、ボタン群２８としては、リモートコントロール装置３０が備えるボタンのうちのいくつかが配置されており、例えば、電源ボタンやストップ／設定クリアボタン，トップ画面ボタン，上下左右ボタン，ＯＫボタンなどが設けられている。また、ＬＥＤランプ群２９としては、電源が正常にオンされたときに点灯する電源ランプや印刷可能な状態のときに点灯する印刷可能ランプ，印刷中などの動作中に点滅する動作中ランプ，紙詰まりなどのエラーが生じたときに動作中ランプよりも早い間隔で点滅するエラー表示ランプなどが設けられている。
【００１８】
印刷機構４０は、図３に示すように、左右方向（主走査方向）にループ状に架け渡されたキャリッジベルト４３により駆動されガイド４２に沿って左右に往復動するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、主走査方向に直交する方向に用紙Ｓを搬送する搬送ローラー４６とを備える。
【００１９】
メインコントローラー５０は、図３に示すように、ＣＰＵ５２や各種コントローラーなどが１チップ上に集積されたＳＯＣ５１と、各種データの読み書きが可能なＳＤＲＡＭ５９と、各種データや各種テーブルなどを記憶したＲＯＭ６０とを備え、プリンター全体の制御を司るものである。このメインコントローラー５０のＳＯＣ５１に集積される各種コントローラーとしては、印刷機構４０を制御するプリンターＡＳＩＣ５３と、赤外線通信ポート２５を介して入力した赤外線信号を操作信号として処理する赤外線通信コントローラー５４と、メモリーカードスロット５５ａに挿入されたメモリーカードＭＣに対するデータの読み書きを制御するメモリーカードコントローラー５５と、ＳＤＲＡＭ５９へのデータの読み書きを制御するＳＤＲＡＭコントローラー５６と、ＣＰＵ５２を介さずに各種コントローラーとＳＤＲＡＭ５９（ＳＤＲＡＭコントローラー５６）との間のデータのやり取りを可能とするダイレクトメモリーアクセスコントローラー（ＤＭＡＣ）５７と、メモリーカードコントローラー５５を介してメモリーカードＭＣから読み出された画像データに表示用の画像処理を施して表示データを生成したり印刷用の画像処理を施して印刷データを生成したりする画像処理コントローラー５８と、ＬＣＤ２７に表示データを出力するＬＣＤコントローラー６１と、ボタン群２８の各ボタンになされたユーザーの操作を操作信号として入力したりＬＥＤランプ群２９の各ＬＥＤランプに対する点灯信号や点滅信号などを出力したりするシリアルパラレル（ＳＰ）通信コントローラー６２とを備え、これらはバス５１ａを介して互いに電気的に接続されている。
【００２０】
メインコントローラー５０（ＳＯＣ５１）のＬＣＤコントローラー６１とＳＰ通信コントローラー６２とは、フレキシブルフラットケーブル（ＦＦＣ）６６を介して操作パネル２６に接続されている。図４は、メインコントローラー５０と操作パネル２６との接続の詳細図である。なお、図４では、図３に示したＳＯＣ５１の構成の一部を省略する。ここで、本実施形態のプリンター２０は、詳細については後述するが、ＦＦＣ６６の各信号線（信号線が接続される図示しない出力端子を含む）のうち、ＬＣＤコントローラー６１と操作パネル２６とを繋ぐ信号線と、ＳＰ通信コントローラー６２と操作パネル２６とを繋ぐ信号線との一部を兼用する。このため、ＳＯＣ５１には、図３に示した構成に加えて、図４に示すように、操作パネル２６との通信においてＬＣＤコントローラー６１とＳＰ通信コントローラー６２との調停を行なうアービターユニット６３と、ＬＣＤコントローラー６１からの信号とＳＰ通信コントローラー６２からの信号とを入力していずれかを選択的に出力する３つのマルチプレクサー６４ａ〜６４ｃを有するマルチプレクサーユニット６４と、６つのバッファー６５ａ〜６５ｆを有するＩ／Ｏバッファー群６５とを備える。
【００２１】
ＬＣＤコントローラー６１は、ＦＦＣ６６の信号線の使用を求めるＲｅｑ１信号をアービターユニット６３に出力し、アービターユニット６３から使用を許可するＧｎｔ１信号が入力されているときに、データの書き込みを指示するｘＷＥ信号や表示データを３線シリアル転送するためのＤＡＴ０信号やＤＡＴ１信号，ＤＡＴ２信号を操作パネル２６側に出力する。
【００２２】
ＳＰ通信コントローラー６２は、ＦＦＣ６６の信号線の使用を求めるＲｅｑ２信号をアービターユニット６３に出力し、アービターユニット６３から使用を許可するＧｎｔ２信号が入力されているときに、データの読み出しのタイミングを定めるＣＬＫ信号に従って、データの読み込みを指示するｘＬＤ信号やシリアルデータのＳＤＯ信号を操作パネル２６側に出力する。また、シリアルデータのＳＤＩ信号を操作パネル２６側から入力する。
【００２３】
アービターユニット６３は、ＬＣＤコントローラー６１からのＲｅｑ１信号やＳＰ通信コントローラー６２からのＲｅｑ２信号を入力すると、これらの要求を調停して、ＬＣＤコントローラー６１へのＧｎｔ１信号かＳＰ通信コントローラー６２へのＧｎｔ２信号のいずれかを出力する。このアービターユニット６３は、先になされたＲｅｑ信号が継続して入力されている場合にはそれに対するＧｎｔ信号を出力し、Ｒｅｑ信号の入力が停止されるとそれに対するＧｎｔ信号の出力を停止する。また、一方にＧｎｔ信号を出力しているときに他方からＲｅｑ信号が入力されても、他方に対するＧｎｔ信号は出力しない。なお、Ｇｎｔ２信号は、マルチプレクサーユニット６４の各マルチプレクサー６４ａ〜６４ｃにも出力される。
【００２４】
マルチプレクサー６４ａは、値０の信号と値１の信号とを入力し、Ｇｎｔ２信号が入力されないときには値０の信号をバッファー６５ｅに出力し、Ｇｎｔ２信号が入力されるときには値１の信号をバッファー６５ｅに出力する。なお、バッファー６５ｅは、ＬＣＤコントローラー６１のＤＡＴ２信号を入力し、マルチプレクサー６４ａから値０の信号が入力されるときにはＤＡＴ２信号を出力し、マルチプレクサー６４ａから値１の信号が入力されるときにはＤＡＴ２信号を出力しないよう構成されている。マルチプレクサー６４ｂは、ＬＣＤコントローラー６１のＤＡＴ０信号とＳＰ通信コントローラー６２のＣＬＫ信号とを入力し、Ｇｎｔ２信号が入力されないときにはＤＡＴ０信号をバッファー６５ｂに出力し、Ｇｎｔ２信号が入力されるときにはＣＬＫ信号をバッファー６５ｂに出力する。マルチプレクサー６４ｃは、ＬＣＤコントローラー６１のＤＡＴ１信号とＳＰ通信コントローラー６２のＳＤＯ信号とを入力し、Ｇｎｔ２信号が入力されないときにはＤＡＴ１信号をバッファー６５ｃに出力し、Ｇｎｔ２信号が入力されるときにはＳＤＯ信号をバッファー６５ｃに出力する。なお、バッファー６５ｆは、バッファー６５ｅと逆並列接続されており、出力側がＳＰ通信コントローラー６２のＳＤＩ信号線に接続される。
【００２５】
操作パネル２６は、図４に示すように、ＬＣＤ２７に表示データを出力して画面表示させるＬＣＤ制御回路７０と、ボタン群２８に接続されるパラレル／シリアル（Ｐ／Ｓ）変換回路７４と、ＬＥＤランプ群２９に接続されるシリアル／パラレル（Ｓ／Ｐ）変換回路７６とを備える。ＬＣＤ制御回路７０は、ＬＣＤコントローラー６１から送信された表示データを１フレーム分記憶するＶＲＡＭ７２を有し、ｘＷＥ信号やＤＡＴ０信号，ＤＡＴ１信号，ＤＡＴ２信号を入力してＶＲＡＭ７２に１フレーム分の表示データを書き込む。そして、データの読み出しのタイミングを定めるＤＣＬＫ信号や水平／垂直同期信号（ＶＳＹＮＣ信号，ＨＳＹＮＣ信号）に従って、表示データとしてのＤＡＴＡ信号をＶＲＡＭ７２からＬＣＤ２７に出力する。Ｐ／Ｓ変換回路７４は、ボタン群２８の操作により生じる信号をパラレルデータとして入力し、Ｓ／ｘＬ信号が入力されたタイミングで信号をラッチして、パラレルデータからシリアルデータに変換したＱＨ信号をクロック信号としてのＳＣＫ信号に従って出力する。また、Ｓ／Ｐ変換回路７６は、クロック信号としてのＳＣＫ信号に従って、ＬＥＤランプ群２９への点灯指示や点滅指示を含むシリアルデータのＳＩ信号を入力し、ＲＣＫ信号が入力されたタイミングでＳＩ信号をラッチして、シリアルデータからパラレルデータに変換した駆動信号をＬＥＤランプ群２９に出力する。なお、Ｐ／Ｓ変換回路７４やＳ／Ｐ変換回路７６は、ボタン群２８になされた操作を速やかに処理に反映させたりＬＥＤ群２９の表示状態を最新の状態に更新したりするため、定期的な間隔（例えば、数ｍｓに１回など）で、ＳＰ通信コントローラー６２と通信が必要となるものである。
【００２６】
ＦＦＣ６６は、信号線６６ａ〜６６ｅの５本の信号線を有する。信号線６６ａは、バッファー６５ａを介してＳＰ通信コントローラー６２のｘＬＤ信号用の信号線（以下、ｘＬＤ信号線とし、他の信号用の信号線も同様とする）に接続されると共にＰ／Ｓ変換回路７４のＳ／ｘＬ信号線とＳ／Ｐ変換回路７６のＲＣＫ信号線とに接続される。
【００２７】
信号線６６ｂは、バッファー６５ｂを介してマルチプレクサー６４ｂの出力線に接続されると共にＬＣＤ制御回路７０のＤＡＴ０信号線とＰ／Ｓ変換回路７４のＳＣＫ信号線とＳ／Ｐ変換回路７６のＳＣＫ信号線とに接続される。上述したように、マルチプレクサー６４ｂからは、ＬＣＤコントローラー６１のＤＡＴ０信号か、ＳＰ通信コントローラー６２のＣＬＫ信号かのいずれかが出力される。このように、信号線６６ｂは、ＬＣＤコントローラー６１のＤＡＴ０信号の送信と、ＳＰ通信コントローラー６２のＣＬＫ信号（ＳＣＫ信号）の送信とに兼用される。
【００２８】
信号線６６ｃは、バッファー６５ｃを介してマルチプレクサー６４ｃの出力線に接続されると共にＬＣＤ制御回路７０のＤＡＴ１信号線とＳ／Ｐ変換回路７６のＳＩ信号線とに接続される。上述したように、マルチプレクサー６４ｃからは、ＬＣＤコントローラー６１のＤＡＴ１信号か、ＳＰ通信コントローラー６２のＳＤＯ信号かのいずれかが出力される。このように、信号線６６ｃは、ＬＣＤコントローラー６１のＤＡＴ１信号の送信と、ＳＰ通信コントローラー６２のＳＤＯ信号（ＳＩ信号）の送信とに兼用される。
【００２９】
信号線６６ｄは、バッファー６５ｄを介してＬＣＤコントローラー６１のｘＷＥ信号線に接続されると共にＬＣＤ制御回路７０のｘＷＥ信号線に接続される。
【００３０】
信号線６６ｅは、バッファー６５ｅを介してＬＣＤコントローラー６１のＤＡＴ２信号線に接続され且つバッファー６５ｅを逆並列接続でバイパスするバッファー６５ｆを介してＳＰ通信コントローラー６２のＳＤＩ信号線に接続されると共にＬＣＤ制御回路７０のＤＡＴ２信号線とＰ／Ｓ変換回路７４のＱＨ信号線とに接続される。上述したように、バッファー６５ｅは、マルチプレクサー６４ａから値０の信号が入力されるときにＤＡＴ２信号を出力し値１の信号が入力されるときにＤＡＴ２信号を出力しないよう構成される。このように、信号線６６ｅは、ＬＣＤコントローラー６１のＤＡＴ２信号の送信と、ＳＰ通信コントローラー６２のＳＤＩ信号（ＱＨ信号）の受信とに兼用される。
【００３１】
このように、ＦＦＣ６６の３本の信号線６６ｂ，６６ｃ，６６ｅを、ＬＣＤコントローラー６１と操作パネル２６とを繋ぐ信号線と、ＳＰ通信コントローラー６２と操作パネル２６とを繋ぐ信号線とに兼用するのである。これにより、信号線や出力端子の数を削減することができ、ＦＦＣ６６の取り回しを容易とすることができる。また、Ｐ／Ｓ変換回路７４やＳ／Ｐ変換回路７６とＳＰ通信コントローラー６２とを接続する信号線のうち、ラッチのタイミングを示すｘＬＤ信号（Ｓ／ｘＬ信号，ＲＣＫ信号）用のｘＬＤ信号線（Ｓ／ｘＬ信号線，ＲＣＫ信号線）に繋がる信号線６６ａを除いた信号線を兼用するから、ＬＣＤコントローラー６１の表示データの送信によりＰ／Ｓ変換回路７４やＳ／Ｐ変換回路７６が本来とは異なるタイミングで信号をラッチするのを防止することができる。なお、本実施形態では、操作パネル２６が本体２１に対してスライド且つチルト可能に構成され、本体２１と操作パネル２６とに亘って配設されるＦＦＣ６６は取り回しや配設スペースの制約が多いことから、信号線の兼用効果がより高いものとなる。
【００３２】
こうして構成された本実施形態のプリンター２０では、電源がオンされて起動すると、メインコントローラー５０のＬＣＤコントローラー６１はＲＯＭ６０からトップ画面を読み出してＶＲＡＭ７２に送信し、ＬＣＤ制御回路７０によりＬＣＤ２７にトップ画面が表示される。また、ＬＥＤランプ群２９のうち電源ランプが点灯するようＳＰ通信コントローラー６２からＳ／Ｐ変換回路７６に点灯指示が送信される。そして、トップ画面がＬＣＤ２７に表示されている状態で、ユーザーが各種モードの選択をボタン群２８を介して入力すると、Ｐ／Ｓ変換回路７４がその操作信号をＳＰ通信コントローラー６２に送信する。ＳＰ通信コントローラー６２を介して操作信号を受けたＣＰＵ５２は、それに応じて印刷モードやスライドショーモードなどに切り替える。また、ＬＣＤコントローラー６１は、必要に応じて、ＲＯＭ６０から設定画面などを読み出してＶＲＡＭ７２に送信したり、メモリーカードＭＣから読み出されて表示用の画像処理が施されてＳＤＲＡＭ５９に記憶された写真画像の表示データを順次読み出してＶＲＡＭ７２に送信したりする。なお、本実施形態のプリンター２０は、写真画像の表示データをＬＣＤ２７に順次表示している場合には、ボタン群２８（右ボタンなど）が操作されれば画面の切り替え中であっても切り替え中の写真画像の次の写真画像を表示し、トップ画面や設定画面などはその表示が完了しなければボタン群２８の操作を有効なものとして受け付けないようになっている。
【００３３】
次に、こうして構成された本実施形態のプリンター２０の動作、特に、メインコントローラー５０と操作パネル２６との通信時の処理について、信号線６６ｂ，６６ｃ，６６ｅの兼用により必要となる処理を中心に説明する。図５は、メインコントローラー５０により実行されるＧｎｔ解放設定処理ルーチンの一例を示すフローチャートである。このルーチンは、プリンター２０の電源がオンされている間に所定時間毎に実行される。
【００３４】
このＧｎｔ解放設定処理ルーチンが実行されると、メインコントローラー５０は、まず、ＬＣＤ２７の画面が切り替え中であるか否かを判定する（ステップＳ１００）。切り替え中のときには、その画面が切り替え中にボタン群２８の操作を受付可能な画面であるか否かを判定する（ステップＳ１１０）。ここでは、トップ画面や設定画面など（本発明の第１の画面に相当）に切り替え中であれば、ボタン群２８の操作を受付不可の画面と判定し、写真画像の画面（本発明の第２の画面に相当）に切り替え中であれば、ボタン群２８の操作を受付可能な画面と判定する。ステップＳ１１０で、切り替え中の画面がボタン群２８の操作を受付可能なときには、Ｇｎｔ解放ライン数Ｌｇに予め定められたライン数Ａを設定して（ステップＳ１２０）、本ルーチンを終了する。
【００３５】
ここで、Ｇｎｔ解放ライン数Ｌｇは、Ｒｅｑ１信号を出力中のＬＣＤコントローラー６１がＧｎｔ１信号を受信してからＲｅｑ１信号の出力を停止してＦＦＣ６６の専有（以下、Ｇｎｔという）を解放するまでの時間を、表示データの送信ライン数で定めるものである。ＬＣＤコントローラー６１は、送信すべき表示データをＳＤＲＡＭ５９からダイレクトメモリーアクセスにより入力すると、設定されたＧｎｔ解放ライン数Ｌｇ毎に分割し、分割したＧｎｔ解放ライン数Ｌｇ分の表示データをＶＲＡＭ７２に順次送信する。即ち、Ｇｎｔ解放ライン数Ｌｇ分の表示データの送信が完了する度に、一旦Ｒｅｑ１信号の出力を停止してＧｎｔを解放し、解放から所定時間が経過すると再びＲｅｑ１信号を出力し、Ｇｎｔ１信号を受信すると再びＧｎｔ解放ライン数Ｌｇ分の表示データ（中断前に送信した表示データの続き）を送信する。このように、ライン数を単位とするから、表示データを容易に分割することができる。なお、設定されるＧｎｔ解放ライン数Ｌｇが多くなるほど、ＬＣＤコントローラー６１による１回当たりの送信時間が長くなるから、１フレーム分の表示データを効率よく送信することができる。一方で、ＬＣＤコントローラー６１の１回当たりの送信時間が長くなると、その間はＦＦＣ６６（信号線６６ｂ，６６ｃ，６６ｅ）がＬＣＤコントローラー６１に専有されてＳＰ通信コントローラー６２は通信できない。このため、ボタン群２８の操作信号を受信したりＬＥＤ群２９の駆動信号を送信したりすることができず、ボタン群２８の応答性が低下したりすることになる。本実施形態では、このような表示データの効率的な送信と応答性の低下の抑制とのバランスを考慮した数がライン数Ａに定められており、その詳細については後述する。
【００３６】
一方、ステップＳ１１０で、切り替え中の画面がボタン群２８の操作を受付不可のときには、Ｇｎｔ解放ライン数Ｌｇにライン数Ａよりも多いライン数Ｂを設定して（ステップＳ１３０）、本ルーチンを終了する。ボタン群２８の操作を受付不可の画面に切り替えているときには、ボタン群２８の操作信号を読み込んでも適切に対応することができない。このため、応答性の低下は問題とならないから、Ｇｎｔ解放ライン数Ｌｇを大きくして、表示データを優先的に送信することで、表示データを効率よく送信するのである。
【００３７】
また、ステップＳ１００で、ＬＣＤ２７の画面が切り替え中ではないときには、Ｇｎｔ解放ライン数Ｌｇにライン数Ａよりも少ないライン数Ｃを設定して（ステップＳ１４０）、本ルーチンを終了する。切り替え中でないときには、トップ画面や設定画面，写真画像などが表示されており、ユーザーによるボタン群２８の操作を待つ状態にあり、ＬＣＤコントローラー６１は同じ表示データをＶＲＡＭ７２に送信して表示させるいわゆるリフレッシュ状態にある。このため、表示データの送信時間が長くなっても大きな問題とはならないから、Ｇｎｔ解放ライン数Ｌｇを小さくして、応答性を向上させるのである。
【００３８】
ここで、Ｇｎｔ解放ライン数Ｌｇに設定されるライン数Ａの詳細について説明する。ここでは、一例として、ＳＰ通信コントローラー６２が少なくとも５ｍｓに１回は通信できるようにライン数Ａを定めるものを説明する。ここで、ＳＰ通信コントローラー６２は、クロック周波数が１ＭＨｚでデータ量が３２ｂｉｔのシリアル通信を行なうものとし、このため１回の通信に要する時間は３２μｓとなる。また、上述したように、ＬＣＤ２７は、３２０ドット×２４０ドットの画素により構成されており、ＬＣＤコントローラー６１は、ＲＧＢ３色の各８ｂｉｔの画素データをクロック周波数が２４ＭＨｚの３線シリアル転送により送信するものとする。このため、１ライン（３２０ドット）当たりの送信時間Ｔｌｉｎｅは、次式（１）により、約１０７μｓ＋αとなる（αは、ＳＤＲＡＭ５９へのダイレクトメモリーアクセスによるロス時間など）。なお、次式（２）により、仮に１フレーム分（２４０ライン分）の表示データを分割することなく送信した場合、それに要する送信時間Ｔｆｒａｍｅは２６ｍｓ程度となり、その間はＳＰ通信コントローラー６２が通信できないことになる。このような数十ｍｓ程度の時間は、ユーザーがボタン群２８を操作してから何らの応答がなされない場合に、ユーザーが応答性の低下を感じられる時間である。そして、この例では、ＳＰ通信コントローラー６２が５ｍｓに１回確実に通信できるようにするため、上述した通信時間（３２μｓ）や通信の間隔，分割に伴う処理のオーバーヘッドなどを考慮して、ライン数Ａを３ｍｓ程度で転送可能な量に定めるものとする。即ち、次式（３）により、３ｍｓで送信可能なライン数は、２８ラインとなるため、ライン数Ａは２８ラインに定められる。Ｇｎｔ解放ライン数Ｌｇ（ライン数Ａ）が２８ラインの場合のＧｎｔ解放の様子を図６に示す。なお、図６では、ＬＣＤコントローラー６１の通信を実線で囲んだＬＣＤで示し、ＳＰ通信コントローラー６２の通信を実線で囲んだＳＰで示し、点線で囲んだＳＰはＲｅｑ２信号が発生したもののＧｎｔ２信号の応答がなされなかった場合を示す。図示するように、当初は１ｍｓ間隔で行なわれていたＳＰ通信コントローラー６２の通信がＬＣＤ２７の通信の開始により同じ間隔では行なわれなくなるが、ＬＣＤ２７の通信が約３ｍｓで一旦中断されるから、その合間にＳＰ通信コントローラー６２の通信が行なわれる。即ち、ＳＰ通信コントローラー６２の通信の間隔を５ｍｓ以内とすることができるため、信号線６６ｂ，６６ｃ，６６ｅを兼用するものとしても、ユーザーにボタン群２８の操作に対する応答性の低下を感じさせるのを防止することができる。
【００３９】
Tline＝320×3×8bit/(3×24MHz)≒107μs+α・・・(1)
Tframe＝(107μs+α)×240≒26ms・・・(2)
3ms/(107μs+α)≒28・・・(3)
【００４０】
図７に、通信時のタイミングチャートの一例を示す。図示するように、時刻ｔ１でＬＣＤコントローラー６１からＲｅｑ１信号が出力されてアービターユニット６３からＬＣＤコントローラー６１にＧｎｔ１信号が出力される（時刻ｔ２）。また、時刻ｔ３にＳＰ通信コントローラー６２からＲｅｑ２信号が出力されるが、ＬＣＤコントローラー６１にＧｎｔ１信号が出力されているため、ＳＰ通信コントローラー６２にＧｎｔ２信号は出力されない。そして、時刻ｔ４でＬＣＤコントローラー６１がＧｎｔ解放ライン数Ｌｇ分の表示データの送信が完了すると、ｒｅｑ１信号の出力が停止されてＧｎｔ１信号も出力が停止される（時刻ｔ５）。このため、Ｇｎｔ２信号の出力が開始される（時刻ｔ６）。なお、時刻ｔ４から所定時間が経過した時刻ｔ７で再びｒｅｑ１信号が出力されるが、Ｇｎｔ２信号が出力されているため、Ｇｎｔ１信号は出力されない。そして、時刻ｔ８でＳＰ通信コントローラー６２が通信を完了してＲｅｑ２信号の出力が停止されると、Ｇｎｔ２信号の出力も停止されて（時刻ｔ９）、Ｇｎｔ１信号の出力が開始される（時刻ｔ１０）。このため、ＬＣＤコントローラー６１は、再びＧｎｔ解放ライン数Ｌｇ分の表示データを送信する。このように、ＬＣＤコントローラー６１は、Ｇｎｔ解放ライン数Ｌｇ分の表示データを送信する度にＲｅｑ１信号の出力を停止して、Ｇｎｔを一旦解放し、ＳＰ通信コントローラー６２の通信を可能とするのである。
【００４１】
また、ＬＣＤコントローラー６１からＳＰ通信コントローラー６２にＧｎｔが切り替わる際には（図７中の時刻ｔ６など）、信号線６６ｂ，６６ｃ，６６ｅの兼用により不要な信号がＳ／Ｐ変換回路７６に取り込まれたりしないよう、ＳＰ通信コントローラー６２は信号をラッチさせるためのｘＬＤ信号の出力を次のようにしている。図８は、ｘＬＤ信号の出力タイミングを説明する説明図である。図８（ａ）は、本実施形態の場合を示し、図８（ｂ）は、比較形態として信号線を兼用しない場合を示す。まず、信号線を兼用しない場合には、図８（ｂ）に示すように、（１）のタイミングでｘＬＤ信号を出力すると、その時点のボタン群２８の信号がラッチされＣＬＫ信号に同期してＰ／Ｓ変換回路７４からのＳＤＩ信号としてＳＰ通信コントローラー６２に取り込まれる。また、ＣＬＫ信号に同期してＳＰ通信コントローラー６２から出力されるＳＤＯ信号は、（２）のタイミングでラッチされてＳ／Ｐ変換回路７６に入力される。一方、本実施形態では、信号線６６ｂ，６６ｃ，６６ｅが兼用されるために、図８（ａ）に示すように、図８（ｂ）の（１）と同様なタイミングでｘＬＤ信号を出力してラッチすると、信号線６６ｃに送信されていたＤＡＴ１信号がＳ／Ｐ変換回路７６に入力されてしまう。このため、（１）のタイミングではｘＬＤ信号を出力することなく、ＣＬＫ信号に同期してＳＤＯ信号を信号線６６ｃに出力しておき、（２）のタイミングでｘＬＤ信号を出力してＳＤＯ信号をラッチさせるのである。これにより、正しい信号をＳ／Ｐ変換回路７６に入力させることができる。また、（２）のタイミングでｘＬＤ信号を出力してボタン群２８の信号をラッチさせることで、ＣＬＫ信号に同期してＰ／Ｓ変換回路７４からのＳＤＩ信号がＳＰ通信コントローラー６２に入力される。このように、ｘＬＤ信号の出力のタイミングを、信号線を兼用しない場合とは異なり、ＳＤＯ信号の出力後とすることで、ラッチのタイミングを適切なものとして不必要なデータがＳ／Ｐ変換回路７６に入力されるのを防止するのである。なお、本実施形態の場合には、比較形態の場合よりも通信時間が長くなるが、ユーザーが感じられる程長くなるものではないから問題となることはない。また、図８（ａ）に示すように、ＣＬＫ信号に同期して斜線で示す信号が流れることがあるが、それらの信号は無視するものとすればよい。
【００４２】
ここで、本実施形態の構成要素と本発明の構成要素との対応関係を明らかにする。本実施形態のＶＲＡＭ７２が本発明の「メモリー」に相当し、液晶ディスプレイ（ＬＣＤ）２７とＬＣＤ制御回路７０とが「表示機能部」に相当し、操作パネル２６が「表示パネル」に相当し、信号線６６ａ〜６６ｅを有するＦＦＣ６６が「複数の信号線」に相当し、ＬＣＤコントローラー６１とＳＰ通信コントローラー６２とを備えるメインコントローラー５０が「制御手段」に相当する。また、ボタン群２８とＰ／Ｓ変換回路７４とが「入力機能部」に相当し、ＬＥＤ群７６とＳ／Ｐ変換回路７６とが「出力機能部」に相当する。
【００４３】
以上説明した本実施形態のプリンター２０によれば、ＦＦＣ６６の信号線６５ａ〜６５ｅのうち信号線６６ｂ，６６ｃ，６６ｅが、ＬＣＤコントローラー６１からＶＲＡＭ７２への表示データの送信と、ボタン群２８に接続されるＰ／Ｓ変換回路７４やＬＥＤ群２９に接続されるＳ／Ｐ変換回路７６とＳＰ通信コントローラー６２との通信とに兼用される。そして、１画面分の表示データを送信する際に、ＬＣＤコントローラー６１が表示データを複数に分割して送信すると共に分割した表示データの送信の合間にＳＰ通信コントローラー６２がＰ／Ｓ変換回路７４やＳ／Ｐ変換回路７６と通信するから、Ｐ／Ｓ変換回路７４やＳ／Ｐ変換回路７６との通信に影響を及ぼすのを抑制することができる。この結果、ボタン群２８やＬＥＤ群２９の機能に影響を及ぼすのを抑制しつつ表示データ用の信号線と他の信号線とを兼用して、信号線の本数を削減することができる。
【００４４】
また、Ｐ／Ｓ変換回路７４やＳ／Ｐ変換回路７６とＳＰ通信コントローラー６２とを接続する信号線のうち、ｘＬＤ信号線に繋がる信号線６６ａを除いた信号線を兼用するから、表示データの送信によりＰ／Ｓ変換回路７４やＳ／Ｐ変換回路７６が本来とは異なるタイミングで信号をラッチするのを防止することができる。さらに、ＶＲＡＭ７２への表示データの送信からＰ／Ｓ変換回路７４やＳ／Ｐ変換回路７６との通信に切り替わった際に、ＳＰ通信コントローラー６２はｘＬＤ信号の送信前にＳ／Ｐ変換回路７６へのＳＤＯ信号を送信するから、Ｓ／Ｐ変換回路７６に不要な信号が入力されるのを防止することができる。そして、表示データを分割する単位をＧｎｔ解放ライン数Ｌｇとしてライン数で定めるから、表示データを容易に分割することができる。また、ボタン群２８の操作を受付不可の画面に切り替えているときには、Ｇｎｔ解放ライン数Ｌｇを大きくして表示データを効率よく送信することができる。さらに、画面が切り替え中ではないときには、Ｇｎｔ解放ライン数Ｌｇを小さくして応答性を向上させることができる。
【００４５】
なお、本発明は上述した実施形態に何ら限定されることはなく、本発明の技術的範囲に属する限り種々の態様で実施し得ることはいうまでもない。
【００４６】
上述した実施形態では、ｘＬＤ信号線に繋がる信号線６６ａを除いた信号線を兼用するものとしたが、これに限られるものではない。例えば、例えば、Ｓ／Ｐ変換回路７６を備えずにＳＰ通信コントローラー６２がＰ／Ｓ変換回路７４と通信する構成においては、ｘＬＤ信号線（Ｓ／ｘＬ信号線）に繋がる信号線を表示データの送信と兼用するものとしてもよい。なお、この場合、表示データの送信に伴って、Ｐ／Ｓ変換回路７４はＳ／ｘＬ信号が入力されたとしてＱＨ信号を送信することがある。このため、このＱＨ信号が表示データの信号と衝突するのを防止するため、ＱＨ信号線に衝突防止抵抗などを組み込むことが望ましい。
【００４７】
上述した実施形態では、操作パネル２６がボタン群２８とＬＥＤランプ群２９とを備えるものとしたが、これに限られず、いずれか一方のみを備えるものとしてもよい。ＬＥＤランプ群２９を備えない場合には、前の段落で記載したように、Ｓ／Ｐ変換回路７６を備えずにＳＰ通信コントローラー６２がＰ／Ｓ変換回路７４と通信する構成とすればよい。また、操作パネル２６を備えない場合には、Ｐ／Ｓ変換回路７４を備えずにＳＰ通信コントローラー６２がＳ／Ｐ変換回路７６と通信する構成とすればよい。この場合、本実施形態と同様に、ＲＣＫ信号線に繋がる信号線６６ａを除いた信号線を兼用するものとすることができる。
【００４８】
上述した実施形態では、ユーザーからの指示をボタン群２８を介して受け付けるものとしたが、これに限られず、ＬＣＤ２７をタッチパネルとしてそのタッチパネルを介して指示を受け付けるものとしてもよいし、音声認識が可能な装置を設けてユーザーの音声を介して指示を受け付けるものなどとしてもよい。
【００４９】
上述した実施形態では、ＬＥＤランプ群２９を介してプリンター２０の状態を出力するものとしたが、これに限られず、スピーカーを設けて音声を介して状態を出力するものなどとしてもよい。
【００５０】
上述した実施形態では、表示データを分割する単位をＧｎｔ解放ライン数Ｌｇとしてライン数で定めるものとしたが、これに限られず、画素数など他の単位を用いて表示データを分割するものとしてもよい。
【００５１】
上述した実施形態では、表示データを分割する単位をＬＣＤ２７の画面に応じて変更可能なものとしたが、これに限られず、ボタン群２８の操作状況やＬＥＤ群２９の表示状況などに応じて任意に変更可能なものとしてもよい。また、変更可能なものに限られず、変更不能な固定の単位を用いるものとしてもよい。
【００５２】
上述した実施形態では、図５のＧｎｔ解放設定処理ルーチンでＬＣＤ２７の画面の切り替え中でないときには切り替え中に比してＧｎｔ解放ライン数Ｌｇに小さなライン数を設定するものとしたが、これに限られず、切り替え中でないときにも切り替え中と同じライン数（例えば、ライン数Ａ）を設定するものとしてもよい。また、ＬＣＤ２７の画面をボタン群２８の操作を受付不可の画面に切り替えているときには、受付可能な画面に切り替えているときに比してＧｎｔ解放ライン数Ｌｇを大きくするものとしたが、これに限られず、受付可能な画面に切り替えているときと同じＧｎｔ解放ライン数Ｌｇとするものとしてもよい。あるいは、受付不可の画面に切り替えているときには、Ｇｎｔ解放ライン数Ｌｇを最大数（１フレーム分のライン数）に設定するものなどとしてもよい。
【００５３】
上述した実施形態では、ＬＣＤ２７が３２０ドット×２４０ドットの画素により構成されるものとしたが、これに限られず、より多くのドット数の画素により構成されるものなどとしてもよい。
【００５４】
上述した実施形態では、本発明を操作パネル２６がＬＣＤ２７を備えるプリンター２０に適用して説明したが、これに限られず、操作パネル２６がプラズマディスプレイや有機ＥＬディスプレイなどを備えるプリンターに適用するものとしてもよい。あるいは、操作パネルを備える他の装置に適用するものとしてもよく、例えば、カーナビゲーション装置や携帯型の端末装置などに適用するものとしてもよい。
【符号の説明】
【００５５】
２０  プリンター、２１  本体、２２  取っ手、２３  オートシートフィーダー、２４  排紙トレイ、２５  赤外線通信ポート、２６  操作パネル、２７  液晶ディスプレイ（ＬＣＤ）、２８  ボタン群、２９  ＬＥＤランプ群、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、５０  メインコントローラー、５１  ＳＯＣ、５１ａ  バス、５２  ＣＰＵ、５３  プリンターＡＳＩＣ、５４  赤外線通信コントローラー、５５  メモリーカードコントローラー、５５ａ  メモリーカードスロット、５６  ＳＤＲＡＭコントローラー、５７  ダイレクトメモリーアクセスコントローラー（ＤＭＡＣ）、５８  画像処理コントローラー、５９  ＳＤＲＡＭ、６０  ＲＯＭ、６１  ＬＣＤコントローラー、６２  シリアルパラレル（ＳＰ）通信コントローラー、６３  アービターユニット、６４  マルチプレクサーユニット、６４ａ，６４ｂ，６４ｃ、マルチプレクサー、６５  Ｉ／Ｏバッファー群、６５ａ，６５ｂ，６５ｃ，６５ｄ，６５ｅ，６５ｆ  バッファー、６６  ＦＦＣ、６６ａ，６６ｂ，６６ｃ，６６ｄ，６６ｅ  信号線、７０  ＬＣＤ制御回路、７２  ＶＲＡＭ、７４  パラレル／シリアル（Ｐ／Ｓ）変換回路、７６  シリアル／パラレル（Ｓ／Ｐ）変換回路、ＭＣ  メモリーカード、Ｓ  用紙。
【図１】
2013084062.tif 000003
【図２】
2013084062.tif 000004
【図３】
2013084062.tif 000005
【図４】
2013084062.tif 000006
【図５】
2013084062.tif 000007
【図６】
2013084062.tif 000008
【図７】
2013084062.tif 000009
【図８】
2013084062.tif 000010